(57)【要約】【課題】ロール間への異物の挟み込みを防止することができるインコメータの安全装置を提供する。【解決手段】駆動装置により回転される駆動ロール１と、該駆動ロール１に所定圧力で接触して回転する少なくとも２個の被動ロール２，３とからなるロール群によってインキのタック値を測定するインコメータ１０において、前記駆動ロール１と少なくとも一つの被動ロール３との間の異物を検知する異物検知センサ３０と、前記異物検知センサ３０が異物を検知したときに、前記駆動装置を停止する停止手段と、前記被動ロール２，３を前記駆動ロール１から離れた位置に退避させる退避手段を備えてある。【選択図】図１
2010091500.tif 000002
【特許請求の範囲】
【請求項１】
駆動装置により回転される駆動ロールと、該駆動ロールに所定圧力で接触して回転する少なくとも２個の被動ロールとからなるロール群によってインキのタック値を測定するインコメータにおいて、前記駆動ロールと少なくとも一つの被動ロールとの間の異物を検知する異物検知センサと、前記異物検知センサが異物を検知したときに、前記駆動装置を停止する停止手段と、前記被動ロールを前記駆動ロールから離れた位置に退避させる退避手段を備えたインコメータの安全装置。
【請求項２】
前記異物検知センサが、被動ロールの回転軸の位置変化に連動するように該回転軸の両端部に設けた遮蔽体と、該遮蔽体の位置変化を検知することによって異物を検知する遮蔽体検知センサとからなる請求項１に記載のインコメータの安全装置。
【請求項３】
前記駆動ロールの前方に位置するバイブレーションロールの回転軸に前記異物検知センサを設けた請求項１又は２に記載のインコメータの安全装置。
【請求項４】
前記異物検知センサが異物を検知したときに、前記退避手段が全ての被動ロールを前記駆動ロールから離れた位置に退避させるようにした請求項１乃至３の何れか一項に記載のインコメータの安全装置。
【発明の詳細な説明】
【技術分野】
【０００１】
本発明は、インキのタック値などを測定するインコメータの安全装置に関する。
【背景技術】
【０００２】
インコメータは、少なくとも三つのロールからなるロール群によって、インキのタック値（粘着性）を測定している。一つめのロールは、駆動装置により一定の速度で回転され、一定の温度に保持された金属ロール（駆動ロール）である。二つめのロールは、該金属ロールに接触して、その摩擦力により回転するトップロール（被動ロール）であり、ロードセルに接続されて平衡状態の位置からロールの位置が変化するときのトルクを測定して、インキのタック値を求めている。三つめのロールは、上記金属ロールに接触して振動を付与するバイブレーションロール（被動ロール）である（例えば、特許文献１参照）。
【０００３】
【特許文献１】実用新案登録第２５４５１２８号公報
【発明の開示】
【発明が解決しようとする課題】
【０００４】
インコメータの測定には、異なる種類のインキが混ざり合わないように、測定毎にロール洗浄などのメンテナンスが不可欠である。インコメータのロール群が回転しているときに、布等の異物がロール間に挟まると、ロール群に異物が巻き込まれる恐れがあるという問題があった。
そこで、本発明は、ロール間への異物の挟み込みを防止することができるインコメータの安全装置を提供するものである。
【課題を解決するための手段】
【０００５】
本発明は、上記課題を解決するために、駆動装置により回転される駆動ロールと、該駆動ロールに所定圧力で接触して回転する少なくとも２個の被動ロールとからなるロール群によってインキのタック値を測定するインコメータにおいて、前記駆動ロールと少なくとも一つの被動ロールとの間の異物を検知する異物検知センサと、前記異物検知センサが異物を検知したときに、前記駆動装置を停止する停止手段と、前記被動ロールを前記駆動ロールから離れた位置に退避させる退避手段を備えたインコメータの安全装置を提供するものである。
【０００６】
また、本発明のインコメータの安全装置は、前記異物検知センサが、被動ロールの回転軸の位置変化に連動するように該回転軸の両端部に設けた遮蔽体と、該遮蔽体の位置変化を検知することによって異物を検知する遮蔽体検知センサとからなる。
【０００７】
また、本発明のインコメータの安全装置は、前記駆動ロールの前方に位置するバイブレーションロールの回転軸に前記異物検知センサを設けてある。
【０００８】
また、本発明のインコメータの安全装置は、前記異物検知センサが異物を検知したときに、前記退避手段が全ての被動ロールを前記駆動ロールから離れた位置に退避させるようにしてある。
【発明の効果】
【０００９】
本発明のインコメータの安全装置は、駆動装置により回転される駆動ロールと、該駆動ロールに所定圧力で接触して回転する少なくとも２個の被動ロールとからなるロール群によってインキのタック値を測定するインコメータにおいて、前記駆動ロールと少なくとも一つの被動ロールとの間の異物を検知する異物検知センサと、前記異物検知センサが異物を検知したときに、前記駆動装置を停止する停止手段と、前記被動ロールを前記駆動ロールから離れた位置に退避させる退避手段を備えた構成を有することにより、駆動ロールと被動ロールの間に異物を検知すると、駆動装置を停止して異物がロール群に巻き込まれるのを防止すると共に、被動ロールを駆動ロールから離れた位置に退避させて異物をロール間から即座に取り除くことができる効果がある。
【００１０】
また、本発明のインコメータの安全装置は、前記異物検知センサが、被動ロールの回転軸の位置変化に連動するように該回転軸の両端部に設けた遮蔽体と、該遮蔽体の位置変化を検知することによって異物を検知する遮蔽体検知センサとからなることにより、駆動ロールと被動ロールの間に異物が挟まれると、被動ロールが異物の厚みだけ外側に変位するから、被動ロールの変位を遮蔽体検知センサで検出して異物を検知することができる。また、両端部にそれぞれ設けた遮蔽体と遮蔽体検知センサによって、ロールの何れの部分に挟まれた異物も検知することができる効果がある。
【００１１】
また、本発明のインコメータの安全装置は、前記駆動ロールの前方に位置するバイブレーションロールの回転軸に前記異物検知センサを設けたことにより、一つの軸に設けた異物検知センサによって略全ての異物の挟み込みを検知することができる効果がある。
【００１２】
また、本発明のインコメータの安全装置は、前記異物検知センサが異物を検知したときに、前記退避手段が全ての被動ロールを前記駆動ロールから離れた位置に退避させるようにしたことにより、ロール間に挟まれた異物がロール群に巻き込まれるのを確実に阻止することができる効果がある。
【発明を実施するための最良の形態】
【００１３】
本発明の実施の形態を図示する実施例に基づいて説明する。
本発明に係るインコメータの安全装置は、駆動装置により回転される駆動ロール１と、該駆動ロール１に所定圧力で接触して回転する少なくとも２個の被動ロール２，３とからなるロール群によってインキのタック値を測定するインコメータ１０において、前記駆動ロール１と少なくとも一つの被動ロール３との間の異物を検知する異物検知センサ３０と、前記異物検知センサ３０が異物を検知したときに、前記駆動装置を停止する停止手段と、前記被動ロール２，３を前記駆動ロール１から離れた位置に退避させる退避手段を備えてある。
【実施例１】
【００１４】
図１に示す実施例において、インコメータ１０は、金属ロール１と、ゴムで形成されたトップロール２及びバイブレーションロール３からなるロール群により、インキの粘着性を示すタック値を測定することができるように構成してある。
【００１５】
金属ロール１は、駆動装置（図示せず）により一定の速度で回転され、温調装置（図示せず）により一定の温度に保持された駆動ロールである。トップロール２は、金属ロール１の上部に接触して、その摩擦力により回転する被動ロールである。トップロール２の回転軸は、トルクセンサであるロードセル（図示せず）に接続してあり、平衡状態の位置からロールの位置が変化するときのトルクを測定して、インキのタック値を求めることができるように構成してある。バイブレーションロール３は、金属ロール１の前部に接触して、その摩擦力により回転する被動ロールであり、金属ロール１に振動を付与して試料であるインキを分散することができるように設けてある。
【００１６】
金属ロール１の駆動軸は、駆動装置に連結されているために固定されている。一方、トップロール２の回転軸は、金属ロール１の駆動軸を中心として回転可能に設けてロードセルに接続され、インキのトルクを測定可能に設けてある。また、トップロール２の回転軸は、ロードセルとの接続部のヒンジ機構によって金属ロール１から離れた位置に退避することができるように設けてある。トップロール２の回転軸には、トップロール２を退避させる退避手段（図示せず）を設けてある。また、バイブレーションロール３の回転軸４には、バイブレーションロール３を退避させる退避手段を設けてある。
【００１７】
退避手段は、被動ロール２，３を駆動ロール１に接触させる位置と、被動ロール２，３を駆動ロール１から離れた退避位置に進退させるアクチュエータ３０からなる。図示の実施例において、退避手段は、アクチュエータとしてエアーシリンダーを用い、被動ロール２，３を進退させることができるように構成してある。
【００１８】
図１及び図２に示す実施例において、異物検知センサ２０は、被動ロールであるバイブレーションロール３の回転軸４の位置変化に連動するように該回転軸４の両端部にそれぞれ設けた遮蔽体２２，２２と、該遮蔽体２２の位置変化を検知することによって異物を検知する遮蔽体検知センサ２１，２１とから構成してある。図示の実施例において、遮蔽体検知センサ２１はフォトセンサであり、金属ロール１とバイブレーションロール３の間に布等の所定の厚みを有する異物が挟まれたときに、遮蔽体２２を検出できる位置に設置してある。なお、遮蔽体検知センサ２１はフォトセンサに限られず、光センサや近接センサなどの各種センサを用いることが可能である。また、異物検知センサ２０は、回転軸４の両端部に遮蔽体２２，２２と、遮蔽体検知センサ２１，２１を設けたから、異物がロールの中央部からずれた位置で挟まれて、バイブレーションロール３が傾いて動いても、何れかの遮蔽体検知センサ２１が異物の挟み込みを検知することができる。
【００１９】
図中の３１は制御部であり、金属ロール１の駆動装置とアクチュエータ３０の動作を制御することができるようにしてある。制御部３１は、少なくとも一方の遮蔽体検知センサ２１が遮蔽体２２を検出すると、金属ロール１とバイブレーションロール３の間に異物の挟み込みを検知し、直ちに金属ロール１の駆動を停止すると同時に、アクチュエータ３０を作動させて被動ロール２，３を金属ロール１から離れた位置（図２に示す位置）に退避させることができるように構成してある。
【００２０】
図示の実施例において、インコメータ１０の安全装置は、遮蔽体検知センサ２１が異物を検知したときに、制御部３１が全てのアクチュエータ３０を作動させて、全ての被動ロール２，３を金属ロール１から離れた位置に退避させるようにしてある。
【００２１】
図１に示すように、インコメータ１０は、ロール群の前方（図中の左方）において、金属ロール１とトップロール２は離れる方向に回転しているから、金属ロール１とトップロール２の間で異物の挟み込みは生じない。従って、異物検知センサ２０は、駆動ロール１の前方に位置するバイブレーションロール３の回転軸に設置してあることが好ましい。
【図面の簡単な説明】
【００２２】
【図１】本発明に係るインコメータの安全装置の一実施例を示す構成図。
【図２】その一実施例の動作状態を示す構成図。
【符号の説明】
【００２３】
１  金属ロール（駆動ロール）
２  トップロール（被動ロール）
３  バイブレーションロール（被動ロール）
４  回転軸
１０  インコメータ
２０  異物検知センサ
２１  遮蔽体検知センサ
２２  遮蔽体
３０  アクチュエータ
３１  制御部
【図１】
2010091500.tif 000003
【図２】
2010091500.tif 000004